(57)【要約】【課題】樋取付具を建築物の破風板等に固定する際に、ビスや釘等により固定孔の周囲に高い応力が発生するのを防止し、また、部品の取付け作業を簡単にでき、固定作業が容易でコストを低減できる樋取付具を提供することを目的とする。【解決手段】建築物に固定される固定部２１と、該固定部２１から片持ち梁状に延出する樋支持部２２とを備える樋取付具２であって、前記固定部２１はビス等の止め具３０が貫通する固定孔２６を有し、建築物との対接面側にゴム弾性板２０が係脱自在に取付けられている。【選択図】　　　図１
2004044134.tif 000002
【特許請求の範囲】
【請求項１】
建築物に固定される固定部と、該固定部から片持ち梁状に延出する樋支持部とを備える樋取付具であって、
前記固定部はビス等の止め具が貫通する固定孔を有し、建築物との対接面側にゴム弾性板が係脱自在に取付けられていることを特徴とする樋取付具。
【発明の詳細な説明】
【０００１】
【発明の属する技術分野】
本発明は、建築物の軒先等にビスや釘等で固定され、軒樋等を取付ける樋取付具に係り、特に、固定部の固定孔の周囲にクラックが発生しにくく、長期間安定して固定できる樋取付具に関する。
【０００２】
【従来の技術】
従来、この種の樋取付具としては、特開平１０−１９６０７２号公報に記載の樋取付具がある。この樋取付具は、破風板に用いられた塩化ビニル被覆鋼板の可塑剤がポリカーボネート樹脂成形体の樋取付具と接触し、可塑剤に侵されてクラックを生じ、それが原因で破風板に対する樋取付具の取付強度が低下することを防止するものであり、取付部の取付面が、可塑剤などの添加物を含有する合成樹脂の添加物の通過を遮断する添加物遮断膜で覆われているものである。
【０００３】
また、特開平１０−１８３９０３号公報に記載の樋取付具は、基端部に略板状の固定板を備え、該固定板の平面に対して略直交方向に延出され樋を保持するための保持部材を有する樋支持部を備え、前記固定板のうち少なくとも接触面がポリカーボネート製である樋取付具において、前記接触面に限界応力値（５０℃、２４時間）を１３０〜２２００ｋｇｆ／ｃｍ２　としたスペーサを設けたことを特徴とするものである。そして、スペーサと固定板のそれぞれに互いに嵌合し合う嵌合部を設けている。
【０００４】
【発明が解決しようとする課題】
ところで、前記構造の樋取付具は、破風板等に固定する際に、固定孔にビス等を貫通させ、ビスを締め込んで固定するが、ステンレスやアルミニウム等の剛性を有したスペーサーを介在させた状態では、固定孔の周囲に高い応力が発生してクラックが発生する虞があった。そのため、経時変化によって破風板の塩化ビニル被覆鋼板から滲みだした可塑剤がビスの取付けの部分から固定孔に浸入して、クラックの発生部分を浸触することになり、固定孔の周囲の劣化が促進され易いという問題があった。
【０００５】
また、前者の樋取付具は添加物遮断膜を粘着する必要があり、貼着加工に手間がかかりコストが上昇し、後者の樋取付具はスペーサを係合させても外れ易く固定作業中にスペーサーが抜け落ちるため、部品の嵌合精度を高める必要があり、部品の取付け作業が煩雑となる問題点があった。
【０００６】
本発明は、このような問題に鑑みてなされたものであって、その目的とするところは、樋取付具を建築物の破風板等に固定する際に、ビスや釘等により固定孔の周囲に高い応力が発生するのを防止した樋取付具を提供することにある。また、部品の取付け作業を簡単にでき、固定作業が容易でコストを低減できる樋取付具の提供することにある。
【０００７】
【課題を解決するための手段】
前記目的を達成すべく、本発明に係る樋取付具は、合成樹脂等から形成され、建築物に固定される固定部と、該固定部から片持ち梁状に延出する樋支持部とを備え、固定部はビス等の止め具が貫通する固定孔を有し、建築物との対接面側にゴム弾性板が係脱自在に取付けられていることを特徴とする。
【０００８】
本発明の樋取付具における合成樹脂としては、耐候性に優れ、経時的変化が少ない、ポリカーボネート樹脂が好適であるが、他の合成樹脂でもよく、合成樹脂に補強繊維（例えばガラス繊維、アラミド繊維、炭素繊維、金属繊維等）を充填した繊維補強合成樹脂を使用すると耐久性を向上させることができる。
【０００９】
本発明の樋取付具に使用されるゴム弾性板としては、ゴム状弾性を有するシート状のもので、例えばＥＰＭやＥＰＤＭ等の合成ゴムの板状成形体が挙げられ、引っ張り強さが３０〜３００ｋｇｆ／ｃｍ２　、ショア硬度が２０〜１００Ｈｓであるものが好ましい。
【００１０】
このように構成された本発明の樋取付具は、固定孔にビス等を挿通して建築物の破風板等に固定するとき、固定孔の破風板と対向する面側の周囲に発生する応力をゴム弾性板で吸収し分散して小さくすることができるためクラックが発生しにくい。このため、長期間、固定強度が低下することなく安定した状態で固定することができるから、台風等で風圧や衝撃を受けても、脱落することを防止できる。
【００１１】
【発明の実施の形態】
以下、本発明に係る樋取付具の一実施形態を図面に基づき詳細に説明する。図１は、本実施形態に係る樋取付具による軒樋の取付状態を示す断面図、図２は図１の樋取付具の正面図、図３は樋取付具に使用されるゴム弾性板を示す斜視図、図４はゴム弾性板が取り外された樋取付具の正面図、図５は図４の左側面図、図６はゴム弾性板が固定部に取付けられている状態を説明する要部平面図である。
【００１２】
先ず、図１を参照して、樋取付具により建築物の軒先等に取付けられる軒樋１について説明する。
軒樋１は塩化ビニル樹脂、ポリカーボネート樹脂等で形成され、底壁１１の前端から前壁１２が上方に延出し、底壁１１の後端から後壁１３が上方に延出し、前壁１２の上端には前耳１４が形成されており、後壁１３の上端にも後耳１５が形成されている。
【００１３】
軒樋１は底壁１１に対して、前壁１２及び後壁１３が僅かに拡開して延出し、断面が略コ字状をしており、雨水は底壁１１に沿って流れる。前耳１４には後耳方向に開口する凹部１４ａが形成され、この凹部１４ａの入り口の幅が狭く、奥が上方に湾曲して幅広に形成されている。なお、軒樋は前記の形状に限られるものでなく、断面が半円形のものや、コ字状のもの等、適宜の形状のものでもよいことは勿論である。
【００１４】
前記の軒樋１を取付ける樋取付具２はポリカーボネート樹脂から形成され、図２に示すように、基端部に略平板状に形成された固定部を構成する固定板２１と、固定板２１の平面に対して略直交する方向に片持ち梁状に延出した樋支持部としての支持腕２２とからなり、固定板２１の建築物との対接面側にゴム弾性板２０が係脱自在に取付けられている。
【００１５】
支持腕２２の先端側には樋１の前耳１４を支持するための前耳支持部２３が先端側に形成され、基端側には後耳１５を支持する後耳支持部２４が形成されている。前耳支持部２３は、前耳１４の凹部１４ａに嵌合する上方突部２３ａが形成されている。後耳支持部２４は、後耳１５の幅広の段部に係合する支持爪部１５ａ、突部１５ｂが形成されている。
【００１６】
樋取付具２の固定板２１は四角形状であり、４つの固定孔２６が穿設されている。この固定孔２６に止め具であるビス３０や釘等を挿通させ、例えばビス３０を建築物の破風板３１にねじ込んで締め付けることにより樋取付具２を建築物に固定することができる。
このように、樋取付具２は前耳１４と後耳１５を支持して軒樋１を吊り下げ支持するものである。
【００１７】
また、樋取付具２の固定板２１の両縁部には鍔片２７が外側方に延出して形成されており、鍔片２７の上縁部には係止突起２７ａが更に外側方に突出し、下縁部には係止爪２７ｂが前方に突出して形成されている。
このように、固定板２１の鍔片２７は建築物との対接面側に後述のゴム弾性板２０が係脱自在に取付けられる係合部となるものである。
【００１８】
ゴム弾性板２０は、図３に示すように、固定部２１の取付面と同じ大きさの基板部２１ａの両縁部に断面コ字状の係合溝２０ｂが形成されたもので、ＥＰＤＭの合成ゴムから長尺状に押出成形されたものを所定長さに切断して形成したものである。
【００１９】
前記の如く構成された本実施形態の樋取付具の使用方法について以下に説明する。
先ず、樋取付具の加工工場から出荷する前に、樋取付具２の固定板２１にゴム弾性板２０を取り付ける。この場合、固定板２１の一方の鍔片２７をゴム弾性板２０の一方の係合溝２０ｂに挿入し、他方の鍔片２７に他方の係合溝２０ｂの開口を広げるようにして弾性変形させ係合させる。ゴム弾性板２０の四隅縁は係止突起２７ａと係止爪２７ｂとに挟まれた状態で係止され、固定板２１から抜けて外れるのを防止している。
【００２０】
次に、樋の取付け施工現場では、樋取付具２の固定板２１に穿設された固定孔２６に、例えばビス３０を挿入して樋取付具２を軒先の破風板３１に固定する。この場合、ビス３０を締め込んでいくと破風板２１と対接する面側の角部に最大応力が発生しようとするが、固定板１１にゴム弾性板２０が取付けられているため、ゴム弾性板２０の緩衝効果により、応力が分散し緩和されてクラックが発生しにくい。このため、樋取付具２の建築物への固定が長期間安定し、固定強度が低下することを防止できる。固定強度が低下すると、暴風雨等で軒樋に風圧が作用して樋取付具２が脱落する等の不具合が生ずるが、本実施形態の樋取付具２を使用すると、前記のような不具合を防ぐことができる。
【００２１】
以上、本発明の実施の形態を図面により詳述してきたが、具体的な形態はこの実施の形態に限られものではなく、本発明の要旨を逸脱しない範囲における設計の変更等があっても本発明に含まれる。
【００２２】
例えば、上記実施の形態では、固定板２１とゴム弾性板２０との係脱の構造は鍔片２７を係合溝２０ｂに係合させたものとしたが、固定部の取付面側に凹部を開口し、ゴム弾性板に凸部を突出させ、凹部に嵌め込むようにしてもよい。
【００２３】
【発明の効果】
以上の説明から理解できるように、本発明の樋取付具は、ビス等の止め具で締め付けて建築物に固定したとき、固定板に設けた固定孔の周囲にクラックが発生しにくく、長期間に亘って固定強度が低下することなく、安定して固定することができる。このため、風圧や衝撃を受けても樋取付具が脱落することを防止でき、軒樋等が脱落することはない。
また、固定部への部品の取付け作業が簡単となり、樋の取付けの際の固定作業が容易でコストが低減できる。
【図面の簡単な説明】
【図１】本発明に係る樋取付具の一実施形態による軒樋の取付状態を示す断面図。
【図２】図１の樋取付具の正面図。
【図３】樋取付具に使用されるゴム弾性板を示す斜視図。
【図４】図１の樋取付具においてゴム弾性板が取り外された状態を示す正面図。
【図５】図４の樋取付具の左側面図。
【図６】ゴム弾性板が固定部に取付けられている状態を説明する要部平面図。
【符号の説明】
１　　軒樋
２　　樋取付具、
２０　ゴム弾性板
２１　固定板（固定部）
２２　支持腕（樋支持部）
２６　固定孔
３０　ビス
３１　破風板
【図１】
2004044134.tif 000003
【図２】
2004044134.tif 000004
【図３】
2004044134.tif 000005
【図４】
2004044134.tif 000006
【図５】
2004044134.tif 000007
【図６】
2004044134.tif 000008